(57)【特許請求の範囲】
【請求項１】
吸込弁(Ｖ1)用の第１弁座(10)を下部に有するポンプシリンダ(2)と、
第１弁座(10)から上方へ延びかつ一定の範囲で昇降可能に設けたポペット弁体(30)と、
上記ポンプシリンダ(2)内から起立する作動部材(40)と、を具備し、
この作動部材(40)は、
上方付勢され、筒壁下部の内面にポペット弁体(30)に接する環状のシール部(48)を、筒壁下部の外面に第２弁座(50)を設け、筒壁中間部に連通孔(46)を有するシール筒(42)と、
シール筒(42)の筒壁上部に嵌合され、上方へ起立するステム(54)と、
ステム(54)及び第２弁座(50)の間に遊挿されかつポンプシリンダ(2)内面に嵌合させた筒状ピストン(60)と、
ステム(54)の上部(54ｂ)に付設したノズルヘッド(70)とを含み、
ノズルヘッド(70)の押下げによりシール筒(42)及びポペット弁体(30)が下降して吐出弁(Ｖ２)が開きかつ吸込弁(Ｖ1)が閉じる第１過程と、シール筒(42)を上昇させることでポペット弁体(30)を吸込弁開放状態にかつ筒状ピストン(60)を吐出弁閉塞状態に復帰させる第２過程と、筒状ピストン(60)及びシール筒(42)が上昇する第３過程とを経て液体の吸引及び吐出を行うポンプ装置において、
上記ポペット弁体(30)の外面に、シール部上流の流路部分(Ｐ１)及びシール部下流の流路部分(Ｐ３)を上記第３過程で連通する連通凹部(34)を設け、
シール部上流の流路部分(Ｐ１)のうち最も流路面積の小さい上流側最狭窄部(ＳＵ)の流路巾(ＤＵ)がシール部下流の流路部分(Ｐ３)のうち最も流路面積の小さい下流側最狭窄部(ＳＬ)の流路巾(ＤＬ)よりも小であることを特徴とする、ポンプ装置。
【請求項２】
上記連通凹部(34)を縦溝に形成したことを特徴とする、請求項１記載のポンプ装置。
【請求項３】
上記ポンプシリンダ(2)の吸込弁(Ｖ１)側から吸上げパイプ(20)を垂下するとともに、この下端部内面に内径調整用の筒状アダプター(21)を嵌合させたことを特徴とする、請求項１又は請求項２に記載のポンプ装置。
【請求項４】
上記ステム(54)の上部(54b)を有頂筒形とし、その上部の一側にノズルヘッド(70)が有するノズル(76)の基部と連通する透孔(56)を開口し、かつこの開口箇所を除くステム(54)の上部(54ｂ)の内周面を垂下したことを特徴とする、請求項１から請求項３の何れかに記載のポンプ装置。
【発明の詳細な説明】
【技術分野】
【０００１】
本発明は、ポンプ装置、特に容器体の口頸部に適用されるポンプ装置に関する。
【背景技術】
【０００２】
この種ポンプ装置として、ポンプシリンダ内から上方付勢させた作動部材を起立させ、この作動部材の上下動に連動して、ポンプシリンダの下部から上方へ延びるポペット弁体が一定の範囲で昇降するものが知られている（特許文献１）。
【０００３】
この作動部材は、筒壁の上下方向中間部に連通孔を有しかつ筒壁下部でポペット弁体の外面に下部で接するシール筒と、シール筒の上部から上方へ突出するステムと、シール筒及びステムの各下部の間に嵌挿された筒状ピストンと、ステムの上端に付設したノズルヘッドとを有し、液体吐出過程の後でシール筒及びステムが筒状ピストンに対して下降することで、ノズル側から液体を吸い戻し（バックサックション）、ノズルの液切れがよくなるようにしている。
【先行技術文献】
【特許文献】
【０００４】
【特許文献１】特開２００９−１５４９００
【発明の概要】
【発明が解決しようとする課題】
【０００５】
ポンプ装置のバックサックション機能は、ノズルの液切れをよくする他に、内容物の固化防止、変色防止、液だれ防止などに効果を発揮する。しかしながら特許文献１のそれは、ノズルの先端部から内容物を吸い戻す程度であり、必ずしも十分ではなかった。
【０００６】
本発明の目的は、ポンプシリンダ内の負圧を有効に利用してバックサックション効果を高めたポンプ装置を提案することにある。
【課題を解決するための手段】
【０００７】
第１の手段は、吸込弁Ｖ1用の第１弁座10を下部に有するポンプシリンダ2と、
第１弁座10から上方へ延びかつ一定の範囲で昇降可能に設けたポペット弁体30と、
上記ポンプシリンダ2内から起立する作動部材40と、を具備し、
この作動部材40は、
上方付勢され、筒壁下部の内面にポペット弁体30に接する環状のシール部48を、筒壁下部の外面に第２弁座50を設け、筒壁中間部に連通孔46を有するシール筒42と、
シール筒42の筒壁上部に嵌合され、上方へ起立するステム54と、
ステム54及び第２弁座50の間に遊挿されかつポンプシリンダ2内面に嵌合させた筒状ピストン60と、
ステム54の上部54ｂに付設したノズルヘッド70とを含み、
ノズルヘッド70の押下げによりシール筒42及びポペット弁体30が下降して吐出弁Ｖ２が開きかつ吸込弁Ｖ1が閉じる第１過程と、シール筒42を上昇させることでポペット弁体30を吸込弁開放状態にかつ筒状ピストン60を吐出弁閉塞状態に復帰させる第２過程と、筒状ピストン60及びシール筒42が上昇する第３過程とを経て液体の吸引及び吐出を行うポンプ装置において、
上記ポペット弁体30の外面に、シール部上流の流路部分Ｐ１及びシール部下流の流路部分Ｐ３を上記第３過程で連通する連通凹部34を設け、
シール部上流の流路部分Ｐ１のうち最も流路面積の小さい上流側最狭窄部ＳＵの流路巾ＤＵがシール部下流の流路部分Ｐ３のうち最も流路面積の小さい下流側最狭窄部ＳＬの流路巾ＤＬよりも小である。
【０００８】
本手段は、ポンプ装置のポペット弁体30の外周面に連通凹部34を設けることを提案している（図１、図２参照）。この種のポンプ装置のポンプサイクルは次の過程からなる。
（１）シール筒42及びポペット弁体30が下降して吸込弁Ｖ１が閉じかつ吐出弁Ｖ２が開く（図３Ａ）。
（２）シール筒42及びポペット弁体30が上昇して吸込弁Ｖ１が開き（図３（Ｂ））、ポペット弁体30の停止後もシール筒42が上昇してかつ吐出弁Ｖ２が閉じる（図３（Ｃ））。
（３）吐出弁Ｖ２が閉じた後もシール筒42が上昇する（図３（Ｄ））。
第２過程でも吐出弁Ｖ２を介してバックサックションを生ずるが、本発明の特徴は、第３過程で連通凹部34を介してバックサックションを生ずることである（図４）。このために連通凹部34は第３過程でシール部上流の流路部分Ｐ１とシール部下流の流路部分Ｐ３とを連通させるように配置している。
また本手段では図５の如く上流側最狭窄部ＳＵの流路巾ＤＵを下流側最狭窄部ＳＬの流路巾ＤＬよりも小としている。これによりノズルからのバックサックションが容易となる。
【０００９】
本明細書において「上流」及び「下流」とは、吸上げパイプから吸込弁及び吐出弁を経てノズルに至る液体流路Ｐを順方向に向かう流れの上流・下流をいう。図示例において、シール部上流の流路部分Ｐ１は吸上げパイプ20側からシール部48へ至る流路部分であり、シール部下流の流路部分Ｐ３はシール部48からノズル76へ至る流路部分である。
【００１０】
第２の手段は、第１の手段を有し、かつ上記連通凹部34を縦溝に形成した。
【００１１】
本手段では、連通凹部を図２に示すような縦溝に形成することを提案している。これにより縦溝の上下長さの範囲内でシール部48が移動している間中（図４参照）、バックサックション効果を維持できる。
【００１４】
第３の手段は、第１の手段又は第２の手段を有し、かつ上記ポンプシリンダ2の吸込弁Ｖ１側から吸上げパイプ20を垂下するとともに、この下端部内面に内径調整用の筒状アダプター21を嵌合させている。
【００１５】
本手段は、図６に示すように吸上げパイプ20の下端部に内嵌させた筒状アダプター21を提案している。筒状アダプター21は、内径や長さの異なるものを用意して適宜できるので流路抵抗の調整が容易である。
【００１６】
第４の手段は、第１の手段から第３の手段のいずれかを有し、かつ上記ステム54の上部54bを有頂筒形とし、その上部の一側にノズルヘッド70が有するノズル76の基部と連通する透孔56を開口し、かつこの開口箇所を除くステム54の上部54bの内周面を垂下している。
【００１７】
本手段は、図７に示すように、ステム54の上部54bの形状を有頂筒形としている。有頂筒形とすることで内容液に対するノズルヘッド70の接触面積を小さくしている。さらに内容液をノズル76内部からステム54内部へ引き込むようにすると内容液がノズルヘッド70に接することがなくなるので、ノズル開口付近までステム54を膨潤しにくい材質で、ノズルヘッド70を膨潤し易い異材質で生じても液漏れなどの不都合を生じない。これについては後述する。
【発明の効果】
【００１８】
第１の手段に係る発明によれば、ポペット弁体30の外面に、シール部上流の流路部分Ｐ１及びシール部下流の流路部分Ｐ３を吸込過程で連通する連通凹部34を設けたから、バックサックション効果が向上する。
また第１の手段に係る発明によれば、上流側最狭窄部ＳＵの流路巾ＤＵが下流側最狭窄部ＳＬの流路巾ＤＬよりも小だから、さらにバックサックション効果が高まる。
第２の手段に係る発明によれば、上記連通凹部34を縦溝にしたから、その縦溝の上下長さに対応して、シール部48が縦溝を通過する間バックサックション作用を継続できる。第３の手段に係る発明によれば、吸上げパイプ20の下端部内面に筒状アダプター21を嵌合させたから、簡単な手順で流路の内径を絞ることができる。
第４の手段に係る発明によれば、ステム54の上部54bを有頂筒形としたから、内容液に対するノズルヘッド70の接触面積が小さくなり、ノズル76の内部からステム54側へ引き込む作用と相まって、ノズルヘッド70をステム54に比べて膨潤し易い材料で成形しても不都合を生じない。
【図面の簡単な説明】
【００１９】
【図１】本発明の第１実施形態に係るポンプ装置の一部切欠き側面図である。
【図２】図１のポンプ装置のポペット弁の正面図（同図Ａ）、同図を２Ｂ−２Ｂ方向に見た横断面図（同図Ｂ）である。
【図３】図１のポンプ装置の作用説明図である。
【図４】図１のポンプ装置の作用途中の拡大図である。
【図５】本発明の第２実施形態に係るポンプ装置の一部切欠き側面図である。
【図６】図５のポンプ装置の変形例である。
【図７】本発明の第３実施形態に係るポンプ装置の要部拡大図である。
【発明を実施するための最良の形態】
【００２０】
図１から図４は、本発明の第１の実施形態に係るポンプ装置を示す。このポンプ装置は、図１に示す如く、ポンプシリンダ２と、装着部材22と、ポペット弁体30と、作動部材40と、抜止め筒80とで形成している。これら各部材は特に断らない限り合成樹脂で成形することができる。
【００２１】
ポンプシリンダ２は、ポンプシリンダ本体４と吸上げパイプ20とで形成される。
【００２２】
上記ポンプシリンダ本体４は、図示例では下端小径の周壁６の上部に鍔部８を有し、周壁６の下端部内面を第１弁座10に形成し、この下端部の外面から一体的に嵌合筒12を垂下している。この嵌合筒12に上記吸上げパイプ20の上部を嵌合している。また周壁６の下部内面からは、上向き段部16を有する複数の係止リブ14を周方向に間隔を存して内方突出している。上記鍔部８の下面にはパッキン18を付設している。
【００２３】
装着部材22は、容器体口頸部への嵌合用の装着筒24の上端から内向きフランジ26を介して保護筒28を起立している。
【００２４】
ポペット弁体30は、図２（Ａ）に示す棒状の部材であり、下部の外面から側外方へフィン32を突出し、かつ上部外面に少なくとも一つの連通凹部34を形成している。説明の都合上、この連通凹部34については後述する。図示例のポペット弁体30は下部大径に形成している。
【００２５】
このポペット弁体30は、ポンプシリンダ本体４の下部内から上方へ延びており、後述のシール部で昇降可能にかつ垂直に支持されている。この支持状態でポペット弁体30の下端部は第１弁座10と対峙しており、この下端部と第１弁座10とで吸込弁Ｖ１が形成されている。上記ポペット弁体30のフィン32は、上記係止リブ14同士の間隙内に挿入している。
【００２６】
作動部材40は、シール筒42とステム54と筒状ピストン60とノズルヘッド70とで構成している。
【００２７】
上記シール筒42は、筒壁44の上下方向中間部に開口する連通孔46と、筒壁44の下部内面に付設した環状のシール部48と、筒壁44の下部外面から突出した鍔状の第２弁座50とを有する。この第２弁座50と係止リブ14の上向き段部16との間にはコイルスプリング52が介装されている。上記シール部48はポペット弁体30の外周面に対して垂直方向に一定の接触代で接している。
【００２８】
上記ステム54は、上記シール筒42の筒壁上部に嵌合させて、ポンプシリンダ２の上方へ起立している。図示例ではステム54の下部54ａを大径部としている。
【００２９】
筒状ピストン60は、図示例において内筒部62と外筒部64とからなる２重筒状であり、内筒部62及び外筒部64の各上下方向中間部で連続している。外筒部64の上下両部分は先端大径のスカート状部として、ポンプシリンダ本体４の内面に摺動可能に嵌合している。上記内筒部62の下部は上記第２弁座50に着座可能に形成しており、これら内筒部62の下部分と第２弁座50とで吸込弁Ｖ２が形成されている。また上記内筒部62の上部分はステム54の下部54ａ内面に液密にかつ摺動可能に嵌合させている。
【００３０】
上記ノズルヘッド70は上記ステム54の上部54bに取り付けている。図示例ではノズルヘッド70の頂壁の外周部から内周壁72及び外周壁74をそれぞれ垂下している。もっともこうした構造は適宜変更することができる。その内周壁72内には、頂壁との間に一定の間隙を存して上記ステム54の上部54ｂに嵌着している。上記内周壁72の上部からは、外周壁74の上部を貫通してノズル76を前方へ突出している。
【００３１】
抜止め筒80は、ポンプシリンダ２の内面上部に嵌合されており、筒状ピストン60に当接して抜け止めをすることが可能に設ける。
【００３２】
本発明においては、上記ポペット弁体30の外周面に、上記シール部48の接触代よりも上下に長い連通凹部34を形成している。これにより、吸込過程の少なくとも一段階でシール部上流の流路部分Ｐ１とシール部下流の流路部分Ｐ３とを連通させている。吸込過程中にもバックサックション効果が作用するようにするためである。
【００３３】
上記連通凹部34の形状は、図２（Ａ）のように浅い縦溝に形成することが好適である。バックサックション効果を長く維持することができるからである。図示例では、縦溝の深さを図３（Ａ）に示す吸込弁Ｖ１の弁体と第１弁座10との間隙より小さくしているが、その深さは適宜選択できる。縦溝の巾や長さ及び縦溝の数も必要とされるバックサックションの大きさに応じて適宜定めるとよい。
【００３４】
バックサックションによる液体吸引量は、ノズル76の内容積と同等又はそれ以上とすることができる。このようにすることで、ノズル76からの液垂れを確実に防止できるなどのメリットが得られる。これについては後述する。
【００３５】
また上記連通凹部34を形成する箇所は、シール部48が図３（Ｃ）に示す位置（吐出弁Ｖ２が閉じたときの位置）から図１に示す位置（作動部材40が定位置で静止したときの位置）へ移動する行程の範囲内とする。連通凹部34はその行程の全範囲に対応するように設ける必要はない。図示例では、連通凹部34の上端から図１でのシール部48までの距離を、連通凹部34の上下長さより大きくしている。
【００３６】
上記構成において、本発明のポンプを容器体の口頸部に装着し、ノズルヘッド70を押し下げると、シール部42が筒状ピストン60に対して下降して吐出弁Ｖ２が開き、かつシール筒42とともにポペット弁体30が下降して吸込弁Ｖ１が閉じる（図３（Ａ）参照）。これにより吸込弁Ｖ１と吐出弁Ｖ２との間の空間の流路部分で形成されるポンプ室Ａから、第２弁座50及びポンプシリンダ２の間の中間流路部分Ｐ２を通り、ステム54を経てノズル76外方へ吐出される。
【００３７】
上記ノズルヘッド70の押下げを解放すると、シール筒42はコイルスプリング52により押し上げられ、かつポペット弁体30もシール部48との摩擦により引き上げられる。これにより吸込弁Ｖ１が開く。ポペット弁体30は、フィン32がコイルスプリング52の下端に接すると上昇を停止する（図３（Ｂ）参照）。図３（Ａ）から図３（Ｂ）へ至る段階でステム54はシール筒42とともに上昇し、他方、筒状ピストン60は上昇しないため、筒状ピストン60の内筒部62の上端とステムの下部54ａの上端との間の距離がＸ１からＸ２へ変化し、この距離の変化に応じて最初のバックサックション作用が生ずる。
【００３８】
シール筒42は、ポペット弁体30が静止した後も上昇し、シール筒42の第２弁座50が上記筒状ピストン60の内筒部62の下端に突き当たる。これにより吐出弁Ｖ２が閉じる（図３（Ｃ）参照）。このとき上記内筒部62の上端とステムの下部54ａの上端との間の距離がＸ２からＸ３に変化し、この距離の変化に応じてバックサックションが起こる。図３（Ａ）から図３（Ｃ）までの過程ではシール部48とポペット弁体30とのシール性は担保されている。
【００３９】
シール筒42は吐出弁Ｖ２の閉鎖後も上昇し、ポンプ室Ａ内が負圧化されて吸上げパイプ20を介して液体がポンプ室Ａ内に吸い込まれる。またシール部48が連通凹部34の上端と下端との間に位置すると、シール部下流の流路部分Ｐ３とシール部上流の流路部分Ｐ１とが連通凹部34の内部を介して連通するので、バックサックション効果を生じ、ノズル側から液体を吸い戻す（図４参照）。さらにシール筒42が連通凹部34の上端位置（図３（Ｄ））よりも上方へ移動すると、バックサックションが停止し、通常の吸込過程となる。
【００４０】
以下本発明の他の実施形態について説明する。これらの説明において第１実施形態と同じ構成については同一の符号を付することで解説を省略する。
【００４１】
図５及び図６は、本発明の第２実施形態を示している。本実施形態では、シール部上流の流路部分Ｐ１の上流側最狭窄部ＳＵの流路巾ＤＵを、シール部下流の流路部分Ｐ３の下流側最狭窄部ＳＬの流路巾ＤＬの流路巾よりも狭くしたものである。これによりシール部上流の流路部分Ｐ１に比べてシール部下流の流路部分Ｐ３の流路抵抗が低下するので、バックサックション効果が大きくなる。
【００４２】
図示例では、上流側最狭窄部ＳＵを第１弁座10下方のポンプシリンダ部分とし、かつ下流側最狭窄部ＳＬをノズル76の内部としているが、これらに限定されるものではない。例えば図１実施例のようにステム54内部にノズル76よりも狭い箇所があるときには、当該箇所を下流側最狭窄部ＳＬとし、その流路巾よりも上流側最狭窄部ＳＵの流路巾が大きくなるように設計する。
【００４３】
図６は、図５の変形例であり、吸上げパイプの下部内面に流路縮小用の筒状アダプター21を嵌挿し、この筒状アダプター21の内部を下流側最狭窄部ＳＬとしている。このように上流側の流路部分Ｐ１に流路抵抗を大きくする治具を設けることでバックサックション効果を大きくすることができる。
【００４４】
図７は、本発明の第３実施形態に係るポンプ装置の要部を示している。本実施形態においてはステム54の上部54bを有頂の直筒形とし、ステム54の頂板58をノズルヘッド70の頂壁裏面に突き当てるようにしている。ステム54の上部54bの前側にはノズル76の基部と連通するための透孔56を開口している。
【００４５】
また内周壁72とステム54との対応箇所には、上記透孔56がノズル76と連通した状態で相互に係合する位置合わせ手段78を形成する。図示例の位置合わせ手段78は、内周壁に穿設した切欠きとステム54に設けた凸部とで形成しているが、その構造は適宜変更することができる。
【００４６】
なお、本実施形態では、バックサックションによる液体吸引量がノズル76の内容積よりも大きくなるように、連通凹部34の上下長さを設定することが望ましい。
【００４７】
また本実施形態では、ノズル76の内部に充填された液体を全てステム54側へ吸引できるようにすることが望ましい。それによりノズルヘッド70及びステム54の材料選択の余地が広がるからである。その一例としてノズルヘッド70をポリプロピレン（ＰＰ）やポリエチレン（ＰＥ）などの比較的柔らかい材料ですることができる。これにより金型からのノズルヘッド70の取り出しが容易となる。またステム54を、比較的硬くかつオイル成分に対する体積膨潤率が小さい材料で形成することができる。例えばポリオキシメチレン（ＰＯＭ）、ポリブチレンテレフタレート（ＰＢＴ）などである。
【００４８】
通常このような材料の組み合せを用いるとノズル76付近のノズルヘッド70の膨潤量がステムのそれより大きいため嵌合箇所で寸法のずれを生じ、液漏れが起こる可能性がある。しかしながら本実施形態の構成では、ノズル76から内容液を全てステム54側へ吸引してしまうため、そうした問題を生じない。さらに内容物の吸着も防止できる。
【符号の説明】
【００４９】
２…ポンプシリンダ  ４…ポンプシリンダ本体  ６…周壁  ８…鍔部
10…第１弁座  12…嵌合筒  14…係止リブ  16…上向き段部  18…パッキン
20…吸上げパイプ  21…アダプタ
22…装着部材  24…装着筒  26…内向きフランジ  28…保護筒
30…ポペット弁体  32…フィン  34…連通凹部  
40…作動部材  42…シール筒  44…筒壁  46…連通孔  48…シール部
50…第２弁座  54…ステム  54ａ…ステム下部  54ｂ…ステム上部
56…透孔  58…頂板
60…筒状ピストン  62…内筒部  64…外筒部
70…ノズルヘッド  72…内周壁  74…外周壁  76…ノズル  80…抜止め筒
Ａ…ポンプ室  Ｐ…液体流路  Ｐ１…シール上方流路部分  Ｐ２…中間流路部分
Ｐ３…シール下方流路部分  Ｖ１…吸込弁  Ｖ２…吐出弁
【図１】
0005733752.tif 000002
【図２】
0005733752.tif 000003
【図３】
0005733752.tif 000004
【図４】
0005733752.tif 000005
【図５】
0005733752.tif 000006
【図６】
0005733752.tif 000007
【図７】
0005733752.tif 000008